(57)【特許請求の範囲】
【請求項１】
コース方向に沿って表目が複数目続き、かつ裏目が複数目続く、リブ組織を有する編地であって、
隣接する表目と表目との間にミスの目が配置され、
隣接する裏目と裏目との間にミスの目が配置され、
かつ表目と裏目とミスの目との配置が１コース毎にコース方向に沿ってシフトしている編地。
【請求項２】
表目が２目以上で４目以下続き、裏目が２目以上で４目以下続き、
かつ隣接する表目と表目との間にミスの目が１目配置され、隣接する裏目と裏目との間にミスの目が１目配置されていることを特徴とする、請求項１の編地。
【請求項３】
表目が２目または３目続き、裏目が２目または３目続くことを特徴とする、請求項２の編地。
【請求項４】
表目と表目との間にミスの目が１目配置され、
裏目と裏目との間にミスの目が１目配置され、
さらに表目と裏目とミスの目との配置が１コース毎に１目ずつシフトしている、ことを特徴とする、請求項１〜３のいずれかの編地。
【請求項５】
前後少なくとも一対の針床を有する横編機により、コース方向に沿って表目が複数目続き、かつ裏目が複数目続く、リブ組織を有する編地を編成する編成方法であって、
隣接する表目と表目との間にミスの目が配置され、隣接する裏目と裏目との間にミスの目が配置されているリブ組織を、１コース毎に表目と裏目とミスの目との配置をコース方向に沿ってシフトさせながら編成する、編地の編成方法。
【請求項６】
隣接する表目と裏目はミスの目無しに接続されていることを特徴とする、請求項５の編地の編成方法。
【発明の詳細な説明】
【技術分野】
【０００１】
この発明は、縦横の伸びが少ない編地とその編成方法とに関する。
【背景技術】
【０００２】
布帛に比べ編地は縦横に伸びやすく、通常はこの性質を活かすように編地は用いられる。しかし縦横に伸び難く、力が加わっても一定の形状を保つことが要求される場合もある。例えば椅子やシートの表皮材では、体重が加わっても適度な張りを保って、身体を支持することが必要である。またベルトでは力が加わっても伸びないことが必要である。
【０００３】
代表的な編地として、平編地とリブ編地とがあり、平編地はリブ編地に比べて伸び難い。特許文献１（特許3139727）は、タックの目とミスの目とを含ませることにより、編地の伸びを制限することを開示している。編地にテンションが加わると、編目のループが変形して、編糸が引き出されることが、編地の伸びの原因である。ミスの目にはループがないので、横方向（コース方向）の伸びが抑制される。タックの目ではニードルループが小さいので、縦方向（ウェール方向）の伸びが抑制される。
【先行技術文献】
【特許文献】
【０００４】
【特許文献１】特許3139727
【発明の概要】
【発明が解決しようとする課題】
【０００５】
発明者は、編地の伸びをさらに少なくすることを検討した。編目の基端と先端との間隔（編目の丈）が、編目の１コース分であると、編目のループの役割が大きくなり、縦方向の伸びを抑えるのは難しい。これに対して、編目の基端と先端とが、編目の２コース分以上離れているようにすると、ウェール方向の伸びが小さくなることが分かった。リブ組織を用いると、表目と裏目との間の渡糸が横方向の伸びの原因となる。発明者は、表目と裏目とミスの目との配置を工夫し、かつこの配置をコース毎にシフトさせることにより、縦方向にも横方向にも伸びにくい編地を編成できることを見出した。
【０００６】
この発明の課題は、縦方向に横方向にも伸びにくい編地とその編成方法を提供することにある。
【課題を解決するための手段】
【０００７】
この発明のリブ組織を有する編地では、コース方向に沿って表目が複数目続き、かつ裏目が複数目続き、
隣接する表目と表目との間にミスの目が配置され、
隣接する裏目と裏目との間にミスの目が配置され、
かつ表目と裏目とミスの目との配置が１コース毎にコース方向に沿ってシフトしている。
【０００８】
この発明では、前後少なくとも一対の針床を有する横編機により、コース方向に沿って表目が複数目続き、かつ裏目が複数目続く、リブ組織を有する編地を編成する。この発明では、隣接する表目と表目との間にミスの目が配置され、隣接する裏目と裏目との間にミスの目が配置されているリブ組織を、１コース毎に表目と裏目とミスの目との配置をコース方向に沿ってシフトさせながら編成する。
【０００９】
この発明では、
・  １コース毎に、表目と裏目とミスの目との配置を、コース方向に沿ってシフトさせ、
・  隣接する表目と表目との間にミスの目が配置され、隣接する裏目と裏目との間にもミスの目が配置されている。このようにすると、基端と先端との間隔（編目の丈）が、２コース以上となる編目が形成される。また隣接する表目と裏目との間にミスの目が無くても、これらの編目は丈が２コース以上となる。このようにして編目はウェール方向に引き伸ばされ（図３）、編地にテンションが加わった際に、編目のループから引き出される編糸が少なくなる。
【００１０】
このため編地は伸び難くなり、特にウェール方向に伸び難くなる。なお隣接する表目と裏目との間にミスの目を設けると、丈がさらに長い編目が形成される。例えば２×２のリブ組織で、表目と表目の間、裏目と裏目の間、及び表目と裏目の間に、１目ずつミスの目を入れると、丈が２コースの編目と６コースの編目とが形成される。連続する表目の数、あるいは連続する裏目の数をさらに増すと、さらに丈が長い編目が生じて編成が難しくなる。このため、隣接する表目と裏目との間にはミスの目を設けないことが好ましい。
【００１１】
ミスの目は編地が伸びることを制限し、特にコース方向に伸びることを制限する。このこと自体は、特許文献1と同様である。表目と裏目との間には、編地の前後に渡る渡糸（編地の表裏に渡る渡糸）がある。この発明の編地では、編地の前後に渡る渡糸は、丈が２コース以上の両側の編目により引かれて、コース方向に引き出され難くなる。言い換えると、リブ組織の表裏が強く密接して、コース方向への引っ張りに対して伸び難くなる。また編目は丈が長く、ウェール方向に沿って引き伸ばされているので、ウェール方向の引っ張りにも伸び難くなる。以上のために、この発明の編地はコース方向にもウェール方向にも伸び難い。
【００１２】
編目の配置は１コース毎にシフトし、一方向にシフトを繰り返しても、所定の周期でシフト方向を反転しても良い。この発明の編地では、表目と裏目とミスの目の配置が斜めにシフトする。
【００１３】
好ましくは、表目が２目以上で４目以下続き、裏目が２目以上で４目以下続き、かつ隣接する表目と表目との間にミスの目が１目配置され、隣接する裏目と裏目との間にミスの目が１目配置されている。例えば表目と表目との間にミスの目を１目配置し、同様に裏目と裏目との間にミスの目を１目配置し、１目ずつシフトさせる場合を考える。表目を基準に見れば、連続する表目の端の位置では、シフトにより次コース以降は裏目とミスが交互に繰り返され、再び表目になるまでのコース数だけ、編目が引き伸ばされる。また、このコース数はリブの目数に比例して増える。
【００１４】
そして表目が２目または３目続き、裏目が２目または３目続くと、編目をウェール方向に引き伸ばす長さが適正で、比較的編みやすく、しかも伸び難い編地が得られる。
【００１５】
好ましくは、表目と表目との間にミスの目が１目配置され、裏目と裏目との間にミスの目が１目配置され、さらに表目と裏目とミスの目との配置が１コース毎に１目ずつシフトしている。すると、単純な針の割り当てで、伸びが少ない編地を編成できる。  
【図面の簡単な説明】
【００１６】
【図１】最適実施例の編成方法を示す図
【図２】最適実施例の編成組織を示す図
【図３】最適実施例の編地のシミュレーション画像を示す図
【図４】第２の実施例の編成方法を示す図
【図５】第２の実施例の編地のシミュレーション画像を示す図
【発明を実施するための形態】
【００１７】
以下に、発明を実施するための最適実施例を示す。
【実施例】
【００１８】
図１〜図５に、実施例の編地とその編成方法を示す。横編機は、前後一対、あるいは前後と上下に合計４枚の針床を有する、周知の横編機を用いる。図１〜図３は、最適実施例の編成方法と編地とを示す。図１の下のコースC1から上のコースC6への順に、編成は６コース周期で行われ、簡単のために一部の針のみを示す。
【００１９】
図１で、各コースの下側の編目は前針床の針に保持された表目で、上側の編目は後針床の針に保持された裏目で、表目が２目続いてこの間に１目ミスの目があり、裏目が２目続いてこの間に１目ミスの目があり、隣接する表目と裏目との間にはミスの目はない。また編目の配置は、１コース毎に例えば図１の左側へ１目ずつシフトするが、右側へ１目ずつシフトしても良い。コース方向に沿って、６目周期で編目が配置され、ウェール方向に沿って、６コース周期で編目の配置が繰り返す。なお編成の１周期となる６コース毎に、あるいは２周期の１２コース毎等に、シフト方向を反転させても良い。  
【００２０】
コースC1で、針a,c,d,fに形成した編目と、それらの次の編目とを、図１に黒く示す。針a,dではコースC1の次にコースC3で編目が形成され、針c,fではコースC1の次にコースC5で編目が形成されている。
【００２１】
図２は、図１の編成方法で編成された編地の編組織を示し、｜は表目、∩は裏目を表し、記号のないマスはミスの目を表す。図1と同様に、表目が２目、裏目が２目続き、表目と表目の間、及び裏目と裏目の間にはミスの目があり、隣接する表目と裏目の間にはミスの目はない。また編目の配置は１コース毎に、１目ずつ左側へシフトし、右下から左上へ同種の編目が続いている。
【００２２】
図３は、図１の編成方法で編成された編地のシミュレーション画像を示し、編地に対して斜めの視点から見ているように示す。なお実際の編地はさらに密度が高い。シンカーループとニードルループとが２コース分離れた編目と、４コース分離れた編目とがあり、編目はウェール方向に引き伸ばされて、テンションが加わっても編糸が引き出され難くなっている。またミスの目の位置ではループがないので、編地は伸び難い。
【００２３】
表目と裏目とを接続する渡糸の一部を、図３に実線でマークして示す。この渡糸の両側の編目は丈が２コース以上に引き伸ばされているため、渡糸をウェール方向に引き出そうとする。このため渡糸には伸びる余地に乏しく、編地はコース方向に伸び難くなる。
【００２４】
図３から分かるように、実施例の編地はウェール方向に編糸が重なるように配置されている。またミスの目は、前後から編糸で挟まれている。このため実施例の編地は、面積当たりの編糸の量が多く、厚手で丈夫な編地となる。
【００２５】
図４は、第２の実施例での編成方法を示し、編成の順序は下から上向きである。この編成方法では、表目が３目続き、裏目が３目続き、表目と表目との間、及び裏目と裏目との間に、ミスの目が１目配置され、隣接する表目と裏目の間にはミスの目が無い。また編目の配置は１コース毎に左側へ１目ずつシフトするが、右側へシフトしても、あるいは１０コースから成る編成の周期毎に、もしくは２周期、３周期毎等に、シフト方向を反転しても良い。コース方向に沿って、１０目周期で編目が配置され、ウェール方向に沿って、１０コース周期で編目の配置が繰り返す。
【００２６】
図５に、図４の編成方法による編地のシミュレーション画像を示す。コース方向に沿ってリブ組織の１周期６目の編目中で、４目はウェール方向に２コース引き伸ばされ、２目は６コース引き伸ばされ、これ以上に編目が引き伸ばされると、編成が難しくなる。なお１０目から成るリブ組織の周期で、残る４目はミスの目である。上下に伸びる編糸により、編地の前後に渡る渡糸が前後から挟まれている個所の内で見やすい部分を、図５に実線で囲んで示す。
【００２７】
実施例での編目の配置を表１に示す。例えば番号１は図１〜図３の編地で、コース方向の１周期の間に、表目が２目あり、それらの間にミスの目が１目あり、１コース毎に一定の方向に１目シフトする。編目は、２コース上の編目に接続されるものが２目、４コース上の編目に接続されるものが４目である。そして周期はコース方向が６目、ウェール方向が６コースである。表１の多様な編目の配置で、コース方向にもウェール方向にも伸び難い編地が得られる。なお番号６は６コース毎にシフト方向を反転させるものを、番号７は１コース毎に編目の配置を３目左側へシフトさせるものを表す。
【００２８】
【表１】
0005913425.tif 000002
【図１】
0005913425.tif 000003
【図２】
0005913425.tif 000004
【図３】
0005913425.tif 000005
【図４】
0005913425.tif 000006
【図５】
0005913425.tif 000007